(57)【要約】      （修正有）【課題】書類ハンガー本体に、個別の回転リングを設けて、書類等／カレンダーが絡まず、めくるだけで済む、多機能多才な書類ハンガーを提供する。【解決手段】ハンガー本体１に回転する開閉リング２を設け、パンチで穴を開けた書類１０を挟む。リングが落ちないように３を付ける。カバー４で安定させ更に滑り止め５で棒１を押さえる。カバーの開閉は凹凸にする。穴７に紐８を通し結びフック９に掛ける。書類１０にはインデックス１１を付け中央カバー４にはロゴマーク１２と題名等を記入出来る名前シール１３を貼る。この様に自分の必要とする書類等をまとめて、手近に置ける入れ替え・差し替え自由な簡単で便利な多機能ハンガーとして、又、使い捨てでは無いので経済的。フックの途中を９０度回転させる事も可能。【選択図】図１
0003120972.tif 000002
【実用新案登録請求の範囲】
【請求項１】
Ａ４サイズの『書類ハンガー』と命名し、軽くて丈夫な直径１センチ、長さ３２センチの錆びない、割れない等のステンレス等の棒（中が空洞で、１６センチを２本をはめ込む、１本は凸を作る。）に取り外し可能な、直径３センチの開閉リングを両端に２個通し、リングが端から落ちないように、縦４センチの楕円の同質の板を両端に付ける。棒の中心に、縦４センチ、横１０センチの楕円カバーを取り付け、上部に紐又は好みのリボンで、附属のフックに掛けて、キッチンの上部戸棚／書棚等あらゆるところに掛ける事が出来る。
特徴としては、Ａ４サイズの紙類などをめくるだけで、戻す事なく回転していき、前のページが見られる。又、ポリプロピレン等の薄型ファイル、連絡網、お知らせ、年間家計簿、料理のレシピ、手作りレシピ等を手で持つ事なく見ることが出来る。カレンダーは書類ハンガーから外し、毎年用紙だけを差し替えれば良い。これは、Ａ４の横型だが、縦型も同じ要領だ。
又、書類ハンガーは色々なサイズを作ることが可能である。
【考案の詳細な説明】
【技術分野】
【０００１】  本考案は、紙類／書類／カレンダー等をめくり、戻す事無く、絡まる事無く、又同じ書類等が見られる様、回転式にしたハンガーに関するものである。
【背景技術】
【０００２】  色々な料理本が出来る中、１食５品を作るとき、作りたい料理の本が別々だった。
又、子供の学校からのお知らせ（済んだ物と新規の物）が分類出来ずらい。
又、緊急連絡網が手早く一覧出来ない。引き出しにしまう等。
又、家計簿が一覧出来ない。引き出しから出すのがめんどう等。
又、カレンダーは回転する物もあるが、前月のは戻さなければならない。
又、カレンダーのハンガーは毎年捨てなければならない。
【考案の開示】
【考案が解決しようとする課題】
【０００３】  主婦が日常的に必要とするものを、一カ所にまとめたかった。書棚／引き出しから出す手間が、時間的、労働的負担である。今までのカレンダーのハンガーは毎年ゴミになり、使い勝手悪し。前述の欠点をカバーしようとするものである。
【課題を解決するための手段】
【０００４】  本考案は、書類等に一番多いいＡ四サイズを横にしたものだが、中央のカバーが持ち易いので縦にしても見やすい。このハンガーに市販されているキーホルダーの取り外し可能なリングを、中央のカバーの左右に二個ずつ取り付け、（中央のカバーを外しリングを追加することも出来る）紙にパンチで穴を開けて使う。又、穴の開いたルーズリーフノート類も取り付け可能。好きな料理だけをピックアップしてコピーをし、又、手作りレシピ等一つにまとめられ、付け替え／入れ替え自由、連絡網／家計簿を出す手間が省け、一覧出来しかもかたずく。カレンダーは、めくり易く、１年分がとっておけ、前月までの行事が分かる。紙だけ変えれば毎年使える。
【考案の効果】
【０００５】  上述の様に本考案の書類等が回転し、付け替え／入れ替え自由なハンガーは、日常に必要なものを探す手間が省け、一つにまとめておける。レシピ（５品）を１枚にまとめたものを手を触れずに見られる。今までのカレンダーハンガーの様に毎年捨てないで長年使える。各個人で子供の学校用／主人の書類用／主婦のレシピ用／カレンダー用／ｅｔｃ。右側にインデックス使用で見易い。
【考案を実施するための最良の形態】
【０００６】  ハンガー本体に付いている開閉リングに、パンチで穴を開けた書類等を挟んで、各個人手近な所のフックに掛けて置く。
【実施例】
【０００７】  以下、添付図面に従って、一実施例を説明する。
図１は軽くて丈夫で錆びない割れないステンレス等、適宜素材の棒にて、取り外し可能な、同質の安定させる中央カバー／リングで形成されたハンガー本体。
図２は３２センチの棒を安定させ（棒を挟む所に滑り止めのぎざぎざかゴムか凸を付ける）、縦４センチ／横１０センチの楕円で、持ち易く、名前シールも貼れる中央カバー。【０００８】  本考案の一実施例は上述の如き構成からなるものであるから、ハンガー本体は、誰もが自分の必要とする多くの分野の書類等を一つにまとめて、回転式だから使い勝手も良く、手近に置くことが出来る。カレンダーは毎年本体に差し替えるだけ。
【図面の簡単な説明】
【０００９】
【図１】本考案のＡ４サイズ書類ハンガーの一実例を示す正面図である。
【図２】本体ハンガーの一部、中央カバーの開閉図である。
【符号の説明】
【００１０】  ▲１▼    ハンガー本体の棒
▲２▼    ▲１▼に通す開閉リング
▲３▼    リングの落下防止板
▲４▼    ハンガー本体の中央カバー
▲５▼    棒を挟む所の滑り止め
▲６▼    開閉止め
▲７▼    紐・リボン等を通す穴
▲８▼    紐・リボン
▲９▼    フック（付属）
▲１０▼  書類等
▲１１▼  インデックス
▲１２▼  ロゴマーク
▲１３▼  名前シール（付属）
▲１４▼  蝶番又はネジ
【図１】
0003120972.tif 000003
【図２】
0003120972.tif 000004
【手続補正書】
【提出日】平成18年1月20日(2006.1.20)
【手続補正１】
【補正対象書類名】実用新案登録請求の範囲
【補正対象項目名】全文
【補正方法】変更
【補正の内容】
【実用新案登録請求の範囲】
【請求項１】
１本の横棒「図１（▲１▼）」の中央に支持部となる、フック「図３（▲９▼）」に紐で吊り下げる前記横棒を掴むように中央カバー「図１（▲４▼）」を設け、前記カバーの両脇に数個の開閉リング「図１（▲２▼）」を棒に通し、前記リングが落ちないよう前記横棒の両端に落下防止板「図１（▲３▼）」を付けて、パンチで穴を開けた書類等「図１（▲１０▼）」を前記リングに通す事により、書類が回転して見易くする効果のある書類ハンガーである。
【手続補正２】
【補正対象書類名】明細書
【補正対象項目名】全文
【補正方法】変更
【補正の内容】
【考案の詳細な説明】
【技術分野】
【０００１】  本考案は、紙類／書類／カレンダー等を回転出来る様にした書類ハンガーに関するものである。
【背景技術】
【０００２】  書類等をマグネットで止めたり、コルクボードに画鋲で刺したり、ファイルに綴じるくらいしかなかった。又、料理本は開いたままにして置くのが大変である。
【考案の開示】
【考案が解決しようとする課題】
【０００３】  背景において、
（１）色々な料理本が出る中、何品か作るとき、作りたい料理の本が別々で何冊もの本をキッチンに置けない、
（２）子供の学校からのお知らせや緊急連絡網が分類出来ずらい、
（３）家計簿を引き出しにしまうと書くのに不便、
（４）カレンダーは、前月分を見たいとき戻さなければならない、
などの様な問題があった。
【課題を解決するための手段】
【０００４】  本考案は、１本の棒の中央にバランスを取る為の吊り下げる機能の付いた、支持部のカバーを付け、書類をめくり戻す事なく同じ物が見られるよう回転させる為の開閉リングを両脇の棒に通し、リングが落ちないように両端に落下防止板を付けそのリングにパンチで穴を開けた書類や透明ファイルやカレンダー等を通し必要な書類等が１つにまとめられ、身近に置ける事により問題点を解決しているので、主婦が用常的に必要とする書類やお知らせ等を一カ所にまとめたかった。又、書棚や引き出しから出す手間など時間的、労働的負担である。従って吊りハンガーと書類や透明ファイルを一体化することにより、前述の欠点をカバーしようとするものである。
【考案の効果】
【０００５】  上述の様に、必要書類等を１カ所にまとめて見られ、主婦の場所のキッチンの吊り戸棚のみならず会社や各個人の棚にフックを掛け、フックに吊り下げて簡単に手に取ることが出来る。情報が溢れ変わる中で書類等が付け替えや入れ替え自由で、一つにまとめて置け日常に必要な物又はその都度の探す手間が省ける。中央のカバーに分類名を書いたり、右端にインデックスを使用したりで、書類の整理、整頓ができる。
【考案を実施するための最良の形態】
【０００６】  書類ハンガー本体に付いている開閉リングに、パンチで穴を開けた書類等を、通して、各個人分類し、どこでも手近な所のフックに掛けて置ける。
又、穴の開いた透明ファイルなら書類等に穴を開けなくても挟むだけで良い。
【実施例】
【０００７】  以下、添付図面に従って、一実施例を説明する。
図１は軽くて丈夫で錆びない割れないステンレス、木材、耐久性プラスチック等、適宜素材の棒にて、取り外し可能な、同質の安定させる中央カバーと開閉リングで形成された書類ハンガー本体、図２は横棒を吊り下げる為の支持部中央カバーで安定させる為に、挟む所に滑り止めのぎざぎざかゴムなどを付け、持ち易く、名前シールも貼れる中央カバーを本体１に取り付ける。【０００８】  本考案の一実施例は上述の如き構成からなるものであるから、書類ハンガー本体は、誰もが自分の必要とする多くの分野の書類等を入れ替えや差し替え自由で一つにまとめて置け、回転式だから使い勝手も良く、フックを掛ける所があれば何処でも手近に置くことが出来る。又、サイズも豊富に作る事が可能。
【図面の簡単な説明】
【０００９】
【図１】本考案の書類ハンガーの一実例を示す正面図である。
【図２】本体書類ハンガーの一部、中央カバーの開閉図である。
【図３】付属フック
【符号の説明】
【００１０】  １    書類ハンガー本体の棒          １１    インデックス
２    ▲１▼に通す開閉リング        １２    ロゴマーク
３    リングの落下防止板            １３    名前シール（付属）
４    書類ハンガー本体の中央カバー  １４    蝶番
５    棒を挟む所の滑り止め
６    開閉止め
７    紐・リボン等を通す穴
８    紐・リボン
９    フック（付属）
１０    書類・透明ファイル等
【手続補正３】
【補正対象書類名】図面
【補正対象項目名】全図
【補正方法】変更
【補正の内容】
【図１】
0003120972.tif 000005
【図２】
0003120972.tif 000006
【図３】
0003120972.tif 000007